(57)【要約】【課題】本発明は金額振込方法及び金額振込プログラムに関し、第１の目的である、利用者への経済的負担を軽減することができ、また、第２の目的である銀行側にとっても利益となる金額振込方法及び金額振込プログラムを提供することを目的としている。【解決手段】振込みが選択され、振込み先と振込み方法と振込み金額が入力されると、振込み方法が現金振込みかどうかを判定し（ステップ１）、振込み方法が現金振込みの場合、振込み先と振込み金額を判定して、カード振込みが現金振込みよりも有利となるかどうかをチェックし（ステップ２）、カード振込みが現金振込みよりも有利となる場合には、カード振込みが現金振込みよりも有利であることを表示する（ステップ３）ように構成する。【選択図】      図１
2005004314.tif 000002
【特許請求の範囲】
【請求項１】
振込みが選択され、振込み先と振込み方法と振込み金額が入力されると、振込み方法が現金振込みかどうかを判定し（ステップ１）、
振込み方法が現金振込みの場合、振込み先と振込み金額を判定して、カード振込みが現金振込みよりも有利となるかどうかをチェックし（ステップ２）、
カード振込みが現金振込みよりも有利となる場合には、カード振込みが現金振込みよりも有利であることを表示する（ステップ３）ことを特徴とする金額振込み方法。
【請求項２】
振込みが選択され、振込み先と振込み方法と振込み金額が入力されるステップと、
振込み方法が現金振込みかどうかを判定するステップと、
振込み方法が現金振込みの場合、振込み先と振込み金額を判定して、カード振込みが現金振込みよりも有利となるかどうかをチェックするステップと、
カード振込みが現金振込みよりも有利となる場合には、カード振込みが現金振込みよりも有利であることを表示するステップと、をコンピュータで実行することを特徴とする金額振込みプログラム。
【請求項３】
現金振込みよりカード振込みが有利な場合、カード振込みが現金振込みよりも有利であることをガイダンス表示すると同時に、カード振込みを行なうことを誘導し、カード振込み方法で振り込むことを選択した場合には、自動的にカード振込みで振込みが行なわれることを特徴とする請求項１記載の金額振込み方法。
【発明の詳細な説明】
【０００１】
【発明の属する技術分野】
本発明は金額振込み方法及び金額振込みプログラムに関し、更に詳しくはＡＴＭ端末（現金自動預け払い機）を利用して金額を振り込む際の金額振込み方法及び金額振込みプログラムに関する。
【０００２】
【従来の技術】
現在、ある銀行において、ＡＴＭ端末を利用して同一銀行の本支店宛てへ現金振込みを行なう場合の手数料は、３万円未満は１０５円、３万円以上は３１５円となっている。同一銀行の本支店宛てへカード振込みを行なう場合の手数料は３万円未満は１０５円、３万円以上は２１０円となっている。図６は銀行の手数料一覧を示す図である。他行宛の場合と、当行本支店宛の場合と、同一店宛の場合について示されている。
【０００３】
例えば、他行宛の振込みの場合、振込み金額が３万円未満の場合には、カード振込みの場合で２１０円、現金振込みの場合で４２０円である。他行宛の振込みで振込み金額が３万円以上の場合には、カード振込みの場合で４２０円、現金振込みの場合で６３０円である。当行本支店宛の場合、振込み金額が３万円未満の場合には、カード振込みの場合で１０５円、現金振込みの場合で１０５円である。当行本支店宛の場合、振込み金額が３万円以上の場合、カード振込みの場合で２１０円、現金振込みの場合で３１５円である。同一店宛の場合、カードの場合には振込み金額の如何に拘わらず無料、現金の場合には３万円未満で１０５円、３万円以上で３１５円である。
【０００４】
例えば、利用者が当行本支店宛へ４万円を現金振込みで振り込む場合、手数料は３１５円となるが、これをカード振込みで振り込むと、手数料は２１０円となり、１０５円お得となる。
【０００５】
利用者は、このような料金体系を熟知していないので、上記のような方法で振込みを行なうと、お得であることを知らない。このため、利用者が余計な負担をすることがある。
【０００６】
また、銀行側は、利用者がカード振込みを利用すると、２１０円（手数料）−１０円（消費税）＝２００円の利益となるが、現金振込みの場合には、ＡＴＭにて３万円以上の現金の授受があったことを示す領収書を発行するため、印紙税法上２００円を印紙税として収めなくてはならず、３１５円（手数料）−１５円（消費税）−２００円（印紙税）＝１００円のみが利益となる。
【０００７】
銀行側は、利用者が現金振込みで同一銀行の本支店へ３万円以上振り込むと、カード振込みの場合に比べ、２００円（カード振込みの利益）−１００円（現金振込みり利益）＝１００円損をすることになる。
【０００８】
この種のＡＴＭ端末に関する技術は、出願人が初めて気づいた事項であるので、先行する類似の特許文献はない。
【０００９】
【発明が解決しようとする課題】
前述したように、振り込む金額が３万円以上の場合に、カード振込みの方が現金振込みよりも有利となるが、利用者がこのような詳細な事実を知らないため、今まで見過ごされていたものである。
【００１０】
本発明はこのような課題に鑑みてなされたものであって、第１に、利用者への経済的負担を軽減することができ、第２に銀行側にとっても利益となる金額振込方法及び金額振込プログラムを提供することを目的としている。
【００１１】
【課題を解決するための手段】
（１）請求項１記載の発明は以下の通りである。図１は本発明方法の原理を示すフローチャートである。本発明は、振込みが選択され、振込み先と振込み方法と振込み金額が入力されると、振込み方法が現金振込みかどうかを判定し（ステップ１）、振込み方法が現金振込みの場合、振込み先と振込み金額を判定して、カード振込みが現金振込みよりも有利となるかどうかをチェックし（ステップ２）、カード振込みが現金振込みよりも有利となる場合には、カード振込みが現金振込みよりも有利であることを表示する（ステップ３）ことを特徴とする。
【００１２】
このように構成すれば、第１の目的である、利用者への経済的負担を軽減することができ、また、振込み先が同一銀行の本支店宛で、振込み金額が所定の金額以上であれば、第２の目的である銀行側にとっても利益を増加することができる。
（２）請求項２記載の発明は、振込みが選択され、振込み先と振込み方法と振込み金額が入力されるステップと、振込み方法が現金振込みかどうかを判定するステップと、振込み方法が現金振込みの場合、振込み先と振込み金額を判定して、カード振込みが現金振込みよりも有利となるかどうかをチェックするステップと、カード振込みが現金振込みよりも有利となる場合には、カード振込みが現金振込みよりも有利であることを表示するステップと、をコンピュータで実行することを特徴とする。
【００１３】
このように構成すれば、第１の目的である、利用者への経済的負担を軽減することができるプログラムを提供でき、また、振込み先が同一銀行の本支店宛で、振込み金額が所定の金額以上であれば、第２の目的である銀行側にとっても利益を増加することができるプログラムを提供することができる。
（３）請求項３記載の発明は、現金振込みよりカード振込みが有利な場合、カード振込みが現金振込みよりも有利であることをガイダンス表示すると同時に、カード振込みを行なうことを誘導し、カード振込み方法で振り込むことを選択した場合には、自動的にカード振込みで振込みが行なわれることを特徴とする。
【００１４】
このように構成すれば、現金振込みよりカード振込が有利な場合、自動的にカード振込みを行なうことができる。
【００１５】
また、この発明において、現金振込みよりカード振込みが有利な場合、カード振込みが現金振込みよりも有利であることをガイダンス表示すると同時に、カード振込みを行なうことを誘導するステップと、カード振込み方法で振り込むことを選択した場合には、自動的にカード振込みで振込みを行なうステップと、をコンピュータで実行することを特徴とする。
【００１６】
また、振込み先が選択され、振込み先と振込み方法と振込み金額が入力されると振込み方法が現金振込みかどうかをチェックし（ステップ１）、振込み方法が現金振込みの場合、振込み先が同一銀行の本支店であるかどうかをチェックし（ステップ２）、振込み先が同一銀行の本支店である場合には、振込み金額が所定の金額以上であるかどうかチェックし（ステップ３）、振込み金額が所定の金額以上である場合には、カード振込みが現金振込みよりも有利であることを表示する（ステップ４）ことを特徴とする。
【００１７】
また、振込み先が選択され、振込み先と振込み方法と振込み金額が入力されるステップと、振込み方法が現金振込みであるかどうかをチェックするステップと、振込み金額が現金振込みの場合、振込み先が同一銀行の本支店であるかどうかをチェックするステップと、振込み先が同一銀行の本支店である場合には、振込み金額が所定の金額以上であるかどうかをチェックするステップと、振込み金額が所定の金額以上である場合には、カード振込みが現金振込みよりも有利であることを表示するステップと、をコンピュータで実行することを特徴とする。
【００１８】
また、現金振込みよりカード振込みが有利な金額の場合、カード振込みが現金振込みよりも有利であることをガイダンス表示すると同時に、カード振込みを行なうことを誘導し、カード振込み方法で振り込むことを選択した場合には、自動的にカード振込みで、振込みが行なわれることを特徴とする。
【００１９】
また、現金振込みよりカード振込みが有利な金額の場合、カード振込みが現金振込みよりも有利であることをガイダンス表示すると同時に、カード振込みを行なうことを誘導するステップと、カード振込み方法で振り込むことを選択した場合には、自動的にカード振込みで、振込みを行なうステップと、をコンピュータで実行することを特徴とする。
【００２０】
【発明の実施の形態】
以下、図面を参照して本発明の実施の形態例を詳細に説明する。図２は本発明方法を実行するハードウェア構成例を示すブロック図である。図において、２０は装置全体の動作を制御するＣＰＵで、バス１を介して各種の構成要素が接続されている。１０は本発明に係る振込み制御を行なう振込み処理部である。該振込み処理部１０において、１１は指定された振込み先がカードで振り込むと有利になる振込先であるかどうかを判断する宛先判断部、１２は振込み金額を判断する振込み金額判断部、１３はＡＴＭ端末の利用者に対してお得な振込み方法を示す画面を表示する顧客誘導部、１４はガイダンス画面で「カード振込み」か「続行」のどのボタンを押したかを判断する顧客選択判断部、１５は振込み方法を変更する振込み方法変更部、１６は振込みを実施する振込み実施部である。
【００２１】
２１はカードリーダ、２２は該カードリーダ２１を制御するカードリーダ制御部、２３は通帳プリンタ、２４は該通帳プリンタ２３を制御する通帳プリンタ制御部、２５は現金の投入と排出を行なう現金投入排出口、２６は紙幣を判別して計数する鑑別計数部、２７はお金を保管する金庫である。２８はこれら現金投入排出口２５、鑑別計数部２６及び金庫２７を制御する入出金制御部である。
【００２２】
２９は顧客操作画面、３０はタッチパネル、３１はこれら顧客操作画面２９及びタッチパネル３０を制御する操作制御部、３２は各種情報を記憶する記憶部、３３はレシート発行プリンタ、３４は該レシート発行プリンタ３３の動作を制御するレシート発行部である。このように構成されたシステムを用いて本発明の動作を説明すれば、以下の通りである。
【００２３】
図３，図４は本発明の動作の一例を示すフローチャートである。先ず、ＡＴＭ端末の顧客操作画面２９には、メニューモードが表示されている。このメニューモードから利用者がタッチパネル３０の「振込み」ボタンを押下して「振込み」を選択する（Ｓ１）。次に、装置はカード振込みボタンか現金振込みボタンの押下待ち状態となる（Ｓ２）。
【００２４】
ＣＰＵ２０は、現金振込みボタンが押下されたかどうかをチェックする（Ｓ３）。現金振込みボタンが押下されなかった場合には、カード振込みボタンが押下されたことになるので、ＣＰＵ２０は通常のカード振込み処理を実行する（Ｓ４）。ステップＳ３で現金振込みボタンが押下された場合には、ＣＰＵ２０は顧客操作画面２９上に振込み金額入力モードを表示する。利用者は、顧客操作画面２９を見ながらタッチパネル３０により振込み金額を入力する（Ｓ５）。
【００２５】
次に、利用者はタッチパネル３０を操作して振込み先の銀行名と支店名を入力する（Ｓ６）。宛先判断部１１は、振込み先が同一銀行の本支店宛であるかどうかをチェックする（Ｓ７）。振込み先が同一銀行の本支店宛である場合、振込み金額判断部１２は、振込み金額が３万円以上であるかどうかチェックする（Ｓ８）。
【００２６】
振込み金額が３万円以上であった場合、顧客誘導部１３は、「現金振込みの手数料は３１５円、カード振込みの手数料は２１０円です。当行のキャッシュカードをお持ちであれば、カード振込みがお得です。」というメッセージを顧客操作画面２９にガイダンス表示し、画面に「カード振込み」、「続行」ボタンを表示し、ボタン押下を待つ（Ｓ９）。
【００２７】
図５はガイダンス画面を示す図である。図において、４０はカード振込みボタン、４１は続行ボタンである。ここで、顧客操作画面２９はお勧めの方法のボタンを強調する。この場合は、カード振込みを勧めているので、カード振込みボタン４０を強調表示して、利用者を誘導する。
【００２８】
次に、ＣＰＵ２０はカード振込みボタン４０が押下されたかどうかをチェックする（Ｓ１０）。カード振込みボタン４０が押下された場合、カードリーダ２１へのカードの挿入待ちとなる（Ｓ１１）。次に、カードリーダ制御部２２は、カードが挿入されたかどうかをチェックする（Ｓ１２）。カードが挿入されない場合には、ステップＳ１１に戻る。カードが挿入された場合、ＣＰＵ２０は入力された金額で振込みを行なうかどうかを確認する（Ｓ１３）。その後、振込み実施部１６を起動して入力された金額で振込み処理を行なう（Ｓ１４）。このようにすれば、現金振込みよりもカード振込みが有利な場合、自動的にカード振込みを行なうことができる。振込みが終了したら、ＣＰＵ２０はレシート発行部３４を起動し、レシート発行プリンタ３３から伝票を印字する（Ｓ１５）。
【００２９】
なお、ステップＳ７で同一銀行の本支店宛でない場合、及びステップＳ８で現金が３万円以上でない場合には、利用者は現金を現金投入排出口２５へ挿入し、鑑別計数部２６は計数処理を行なう（Ｓ１６）。次に、入出金制御部２８は金額の確認を行ない、振込み実施部１６は振込み処理を行なう（Ｓ１７）。入金されたお金は金庫２７に格納される。その後、伝票印字を行なう（Ｓ１５）。また、ステップＳ４で通常のカード振込みを行なった場合にも、伝票印字を行なう（Ｓ１５）。
【００３０】
このように、本発明によれば、振込み金額が所定金額（ここでは３万円）以上の場合には、カード振込みを行なわせることにより、第１の目的である利用者の経済的負担を軽減することができ、また第２の目的である銀行側にとっても利益となる。例えば、４万円を同一銀行の本支店宛に振り込む場合には、カード振込みを実行することにより、手数料は図６のテーブルから２１０円となる。同一金額を現金振込みで行なうと手数料は３１５円となるから、利用者は３１５−２１０＝１０５円のお得となる。一方、銀行にとっても、カード振り込みの場合には手数料が２１０円となるが、消費税１０円を差し引いても２００円の利益となる。現金振込みの場合には、手数料が３１５円となるが、消費税１５円に加えて印紙代２００円を出費するので、利益は１００円になり、カード振込みの場合に比較して１００円の損となる。
【００３１】
なお、上述した各シーケンスをソフトウェアとして記憶しておき、コンピュータで実行させることができる。このようにすれば、第１に利用者の経済的負担を軽減することができ、第２に銀行側にとっても利益となるプログラムを提供することができる。
【００３２】
（付記１）  振込みが選択され、振込み先と振込み方法と振込み金額が入力されると、振込み方法が現金振込みかどうかを判定し（ステップ１）、
振込み方法が現金振込みの場合、振込み先と振込み金額を判定して、カード振込みが現金振込みよりも有利となるかどうかをチェックし（ステップ２）、
カード振込みが現金振込みよりも有利となる場合には、カード振込みが現金振込みよりも有利であることを表示する（ステップ３）ことを特徴とする金額振込み方法。
【００３３】
（付記２）  振込みが選択され、振込み先と振込み方法と振込み金額が入力されるステップと、
振込み方法が現金振込みかどうかを判定するステップと、
振込み方法が現金振込みの場合、振込み先と振込み金額を判定して、カード振込みが現金振込みよりも有利となるかどうかをチェックするステップと、
カード振込みが現金振込みよりも有利となる場合には、カード振込みが現金振込みよりも有利であることを表示するステップと、をコンピュータで実行することを特徴とする金額振込プログラム。
【００３４】
（付記３）  現金振込みよりカード振込みが有利な場合、カード振込みが現金振込みよりも有利であることをガイダンス表示すると同時に、カード振込みを行なうことを誘導し、カード振込み方法で振り込むことを選択した場合には、自動的にカード振込みで振込みが行なわれることを特徴とする付記１記載の金額振込み方法。
【００３５】
（付記４）  現金振込みよりカード振込みが有利な場合、カード振込みが現金振込みよりも有利であることをガイダンス表示すると同時に、カード振込みを行なうことを誘導するステップと、カード振込み方法で振り込むことを選択した場合には、自動的にカード振込みで振込みを行なうステップと、をコンピュータで実行することを特徴とする付記２記載の金額振込プログラム。
【００３６】
（付記５）  振込み先が選択され、振込み先と振込み方法と振込み金額が入力されると振込み方法が現金振込みかどうかをチェックし（ステップ１）、
振込み方法が現金振込みの場合、振込み先が同一銀行の本支店であるかどうかをチェックし（ステップ２）、
振込み先が同一銀行の本支店である場合には、振込み金額が所定の金額以上であるかどうかチェックし（ステップ３）、
振込み金額が所定の金額以上である場合には、カード振込みが現金振込みよりも有利であることを表示する（ステップ４）ことを特徴とする金額振込方法。
【００３７】
（付記６）  振込み先が選択され、振込み先と振込み方法と振込み金額が入力されるステップと、
振込み方法が現金振込みであるかどうかをチェックするステップと、
振込み金額が現金振込みの場合、振込み先が同一銀行の本支店であるかどうかをチェックするステップと、
振込み先が同一銀行の本支店である場合には、振込み金額が所定の金額以上であるかどうかをチェックするステップと、
振込み金額が所定の金額以上である場合には、カード振込みが現金振込みよりも有利であることを表示するステップと、をコンピュータで実行することを特徴とする金額振込みプログラム。
【００３８】
（付記７）  現金振込みよりカード振込みが有利な金額の場合、カード振込みが現金振込みよりも有利であることをガイダンス表示すると同時に、カード振込みを行なうことを誘導し、カード振込み方法で振り込むことを選択した場合には、自動的にカード振込みで、振込みが行なわれることを特徴とする付記５記載の金額振込方法。
【００３９】
（付記８）  現金振込みよりカード振込みが有利な金額の場合、カード振込みが現金振込みよりも有利であることをガイダンス表示すると同時に、カード振込みを行なうことを誘導するステップと、カード振込み方法で振り込むことを選択した場合には、自動的にカード振込みで、振込みを行なうステップと、をコンピュータで実行することを特徴とする付記６記載の金額振込プログラム。
【００４０】
【発明の効果】
以上説明したように、本発明によれば、以下の効果が得られる。
（１）請求項１記載の発明によれば、第１の目的である、利用者への経済的負担を軽減することができ、また、振込み先が同一銀行の本支店宛で、振込み金額が所定の金額以上であれば、第２の目的である銀行側にとっても利益を増加することができる。
（２）請求項２記載の発明によれば、第１の目的である、利用者への経済的負担を軽減することができるプログラムを提供でき、また、振込み先が同一銀行の本支店宛で、振込み金額が所定の金額以上であれば、第２の目的である銀行側にとっても利益を増加することができるプログラムを提供することができる。
（３）請求項３記載の発明によれば、現金振込みよりカード振込が有利な場合、自動的にカード振込みを行なうことができる。
【００４１】
このように、本発明によれば、第１の目的である、利用者への経済的負担を軽減することができ、また、第２の目的である銀行側にとっても利益となる金額振込方法及び金額振込プログラムを提供することができる。
【図面の簡単な説明】
【図１】本発明方法の原理を示すフローチャートである。
【図２】本発明方法を実行するハードウェア構成例を示すブロック図である。
【図３】本発明の動作の一例を示すフローチャートである。
【図４】本発明の動作の一例を示すフローチャートである。
【図５】ガイダンス画面例を示す図である。
【図６】銀行の手数料一覧を示す図である。
【符号の説明】
１    バス
１０  振込み処理部
１１  宛先制御部
１２  振込み金額判定部
１３  顧客誘導部
１４  顧客選択判断部
１５  振込み方法変更部
１６  振込み実施部
２０  ＣＰＵ
２１  カードリーダ
２２  カードリーダ制御部
２３  通帳プリンタ
２４  通帳プリンタ制御部
２５  現金投入排出口
２６  鑑別計数部
２７  金庫
２８  入出金制御部
２９  顧客操作画面
３０  タッチパネル
３１  操作制御部
３２  記憶部
３３  レシート発行プリンタ
３４  レシート発行部
【図１】
2005004314.tif 000003
【図２】
2005004314.tif 000004
【図３】
2005004314.tif 000005
【図４】
2005004314.tif 000006
【図５】
2005004314.tif 000007
【図６】
2005004314.tif 000008